(57)【要約】【課題】本発明は、書体情報の目的，使用用途が分かるようにした文字生成装置を提供する。【解決手段】フォントデザイン情報１２０を含む少なくとも一つの書体情報１１０を格納した記憶部１００と、入力された文字情報に基づいて、記憶部に格納された書体情報を読み出し、文字を生成する生成部２００と、生成部で生成された文字を出力する出力部３００と、を備えた文字生成装置１０において、上記各書体情報が、それぞれフォントデザイン情報に加えて、目的・使用用途情報１３０を含むように、文字生成装置１０を構成する。【選択図】        図２
2004252280.tif 000002
【特許請求の範囲】
【請求項１】
フォントデザイン情報を含む少なくとも一つの書体情報を格納した記憶部と、
入力された文字情報に基づいて、前記記憶部に格納された前記書体情報を読み出し、文字を生成する生成部と、
この生成部で生成された文字により出力を行なう出力部と、
を備えた文字生成装置において、
各前記書体情報が、それぞれフォントデザイン情報に加えて、目的・使用用途情報を含んだ
ことを特徴とする文字生成装置。
【請求項２】
前記目的・使用用途情報が書き換え可能である
ことを特徴とする請求項１記載の文字生成装置。
【請求項３】
前記文字生成装置自体の目的・使用用途情報が前記記憶部に格納されている
ことを特徴とする請求項１又は２記載の文字生成装置。
【請求項４】
前記文字生成装置自体の目的・使用用途情報が書き換え可能である
ことを特徴とする請求項１〜３のいずれかに記載の文字生成装置。
【請求項５】
任意のタイミングで、前記文字生成装置自体の目的・使用用途情報と、各前記書体情報の目的・使用用途情報とを照合して、各前記書体情報の書体管理を行なう書体管理部を備えた
ことを特徴とする請求項１〜４のいずれかに記載の文字生成装置。
【請求項６】
前記書体管理部が、各前記書体情報の書体，文字および文字グループ単位での書体管理を行なう
ことを特徴とする請求項５記載の文字生成装置。
【発明の詳細な説明】
【０００１】
【発明の属する技術分野】
本発明は、印刷装置や表示装置等の文字生成装置に関し、特にその書体管理の技術に関する。
【０００２】
【従来の技術】
従来、例えばプリンタ，ファクシミリ装置，コピー機，スキャナ装置，所謂デジタル複合機等の印刷用紙に印刷を行なうようにした機器（以下、印刷装置という）や各種表示装置等の文字生成装置においては、印刷又は表示すべき文字を生成するために、所謂書体情報を有しており、入力された文字コードに対応して、書体情報から当該文字コードの書体情報を読み出して、印刷又は表示すべき文字を生成するようにしている。
【０００３】
ところで、メーカで生産された印刷装置が、国内だけでなく海外へも輸出される場合は、その仕向け先によって格納される書体情報が異なる。
たとえば、輸出国が英語圏の場合は、多様なアルファベットフォントに関する書体情報が格納され、中国の場合は、中国語漢字フォントに関する書体情報が、日本の場合は、日本語漢字フォントに関する書体情報が、それぞれ格納されるかわりに、アルファベットフォントの種類が絞られる。
【０００４】
ところが、このように格納される書体情報が仕向け先により異なることから、この書体情報を格納される記憶装置（第一のＲＯＭ）が、その仕向け先に依存することとなっていた。この場合、仕向け先ごとに異なる第一のＲＯＭが搭載されたメインボードを、その仕向け先ごとに準備しなければならず、管理工数が増加していた。
また、言語処理プログラムについても、例えば、日本ではＥＳＣ／Ｐａｇｅというページ記述言語が使用されるので、この言語処理プログラムが記憶装置（第二のＲＯＭ）に格納されるのに対し、海外ではＰＣＬやＰｏｓｔｓｃｒｉｐｔという言語処理プログラムが第二のＲＯＭに格納される。そのため、第二のＲＯＭについても仕向け先に依存することとなり、管理工数が増加していた。
【０００５】
このような管理工数の増加や仕向け先ごとへの対応について、それらの軽減を図る技術が提案されている。
たとえば、プリンタのコントローラへの適用にあたり、書き換え可能なプログラムと書き換え不可能なデータとを記憶する第一の記憶部と、書き換え可能なプログラムを記憶する第二の記憶部とをメモリモジュールに備え、それら第一又は第二の記憶部が選択的にアクセス可能な構成としたものがある（例えば、特許文献１参照）。
これによれば、少なくともコントローラが構築されるメインボードを仕向け先に依存しない仕様にすることができ、このため、メインボードの製造，検査，管理工数の軽減が可能となる。
【０００６】
また、プリンタから送られてくる文字コード情報に対応してビットデータをプリンタへ与えるメモリユニットであって、プリンタに与えられる同一の文字コード情報に対応している複数のビットデータを記憶する記憶手段と、プリンタに対して、記憶手段に記憶されている複数のビットデータにそれぞれ対応した複数の判別情報の一つを選択的に指定する指定手段とを備えた構成としたものがある（例えば、特許文献２参照。）。
これによれば、プリンタから送信されてきた文字コード情報や指定されている判別情報にもとづいて、メモリユニットは、対応するビットデータを読み出して、プリンタへ送信することができる。このため、プリンタでは、所望のフォントでのプリントが可能となる。
【０００７】
【特許文献１】
特開２００１−２７０１９５号公報（第２−５頁、第１−３図）
【特許文献２】
特開平６−１１５１８０号公報（第２−４頁、第１−９図）
【０００８】
【発明が解決しようとする課題】
しかしながら、これらのようなプリンタや文字生成装置においては、書体情報が、当該書体に関するデザイン上の特徴，コピーライト，格納メディア，プロテクト等の所謂フォントデザイン情報のみを保持していた。
したがって、当該書体情報における書体が、どのような目的又は使用用途を想定しているのかという当該書体を使用する上での本質的な情報が欠落していた。
【０００９】
例えば、文字生成装置に関して、その仕向け地によって使用される書体が異なることは当然ではあるが、従来は仕向け地毎に文字生成装置に、使用できる書体の書体情報を個別に実装するようにして、書体の管理を行なっていた。
これは、書体情報がフォトデザイン情報のみを保持していて、目的又は使用用途の情報を保持していないことによるものである。
このため、文字生成装置の仕向け地毎に、書体情報の管理を行なう必要があることから、管理が煩雑になってしまう。
【００１０】
本発明は、上記の問題を解決すべくなされたものであり、書体情報の目的，使用用途が分かるようにした文字生成装置の提供を目的とする。
【００１１】
この目的を達成するため、本発明の請求項１記載の文字生成装置は、フォントデザイン情報を含む少なくとも一つの書体情報を格納した記憶部と、入力された文字情報に基づいて、記憶部に格納された書体情報を読み出し、文字を生成する生成部と、生成部で生成された文字により出力を行なう出力部と、を備えた文字生成装置において、上記各書体情報が、それぞれフォントデザイン情報に加えて、目的・使用用途情報を含んでいる構成としてある。
【００１２】
文字生成装置をこのような構成とすると、文字生成装置の記憶部に格納されている各書体情報が、フォントデザイン情報に加えて、目的・使用用途情報を含んでいるので、この目的・使用用途情報を記憶部から読み出して、これらの目的・使用用途情報に基づいて、当該書体情報に関して、どのような書体であるか、使用対象の仕向け地あるいは文字セットの種類等の目的・使用用途を把握することができる。
したがって、前もって複数種類の書体情報を文字生成装置に実装しておけば、各書体情報の目的・使用用途情報に基づいて、文字生成装置自体の目的・使用用途に合わせて、対応する書体情報を容易に選択することができる。
【００１３】
また、請求項２記載の文字生成装置は、上記目的・使用用途情報が書き換え可能である構成としてある。
文字生成装置をこのような構成とすると、各書体情報が、その後の文字生成装置の使用環境の変化等により当該文字生成装置の使用環境に対応しなくなったとき、あるいは最初から対応していない文字生成装置での使用の際に、目的・使用用途情報を適宜に変更又は追加等の書き換えることによって、書体情報の所謂アップグレードを行なって、容易に文字生成装置に対応させることができる。
【００１４】
また、請求項３記載の文字生成装置は、文字生成装置自体の目的・使用用途情報が記憶部に格納されている構成としてある。
文字生成装置をこのような構成とすると、例えば仕向け地や対象となるユーザ情報等の文字生成装置自体の目的・使用用途情報が、文字生成装置の記憶部に格納されていることにより、同様に上記記憶部に格納されている各書体情報の目的・使用用途情報と一括管理を容易に行なうことができる。
【００１５】
また、請求項４記載の文字生成装置は、上記文字生成装置自体の目的・使用用途情報が書き換え可能である構成としてある。
文字生成装置をこのような構成とすると、文字生成装置の目的・使用用途情報を適宜に変更又は追加等の書き換えることによって、書き換えられた文字生成装置の目的・使用用途情報に対応して、各書体情報を管理することができる。
したがって、複数種類の文字生成装置に対応することができるので、複数種類の文字生成装置を製造販売する場合でも、より少ない種類の目的・使用用途情報を容易すればよい。
【００１６】
また、請求項５記載の文字生成装置は、任意のタイミングで、文字生成装置自体の目的・使用用途情報と、各書体情報の目的・使用用途情報とを照合して、各書体情報の書体管理を行なう書体管理部を備えている構成としてある。
文字生成装置をこのような構成とすると、複数種類の書体情報に関して、各書体情報の目的・使用用途情報を文字生成装置自体の目的・使用用途情報と照合することにより、当該文字生成装置の仕向け地等に対応して使用可能な書体を容易に管理して切り分けることができる。
【００１７】
また、請求項６記載の文字生成装置は、上記書体管理部が、各書体情報の書体，文字および文字グループ単位での書体管理を行なう構成としてある。
文字生成装置をこのような構成とすると、書体管理部が、各書体情報の目的・使用用途情報を文字生成装置自体の目的・使用用途情報と照合して、使用可能な書体の切り分けを行なう際に、各書体情報の書体，文字および文字グループ単位での書体管理を行なうことによって、当該文字生成装置の仕向け地等に対応して使用可能な書体そして文字セット等を容易に管理して切り分けることができる。
【００１８】
このように、本発明によれば、文字生成装置の記憶部に格納してある少なくとも一種類の書体情報に関して、フォントデザイン情報から成る書体情報に目的・使用用途情報を付加することによって、当該書体情報の書体に関する目的・使用用途を判別することができる。したがって、例えば文字生成装置自体の目的・使用用途に合わせて、使用可能な書体情報を容易に管理して切り分けることができる。
【００１９】
【発明の実施の形態】
以下、本発明の文字生成装置に係る好ましい実施形態について、図面を参照して説明する。
［第一実施形態］
まず、本発明の文字生成装置の第一実施形態について、図１〜図５を参照して説明する。
図１は、本発明による文字生成装置の一実施形態の構成を示している。
図１に示すように、文字生成装置１０は、例えばプリンタ等の印刷装置や表示装置であって、書体情報を格納する記憶部１００と、文字を生成する生成部２００と、出力部３００と、書体管理部４００と、を含んでいる。
【００２０】
記憶部１００は、任意の形式のメモリ，ディスク等の記憶手段から構成されており、少なくとも一つの書体情報１１０を格納している。
各書体情報１１０は、図２に示すように、構成されている。
すなわち、書体情報１１０は、従来からあるフォントデザイン情報１２０に加えて、目的・使用用途情報１３０を含んでいる。
【００２１】
ここで、フォントデザイン情報１２０は、従来の書体情報と同様にして、書体名１２１，バウンダリボックス１２２，ピッチ情報１２３，その他の情報１２４とを含んでいる。
【００２２】
これに対して、目的・使用用途情報１３０は、用途に関する情報１３１，対象となる地域情報１３２，格納文字グループ情報１３３を含んでいる。
用途に関する情報１３１は、例えば必須の基本書体，ビジネスグラフィックで使用する書体（拡張書体／Ｂｕｓｉｎｅｓｓ），ＤＴＰで使用する書体（拡張書体／ＤＴＰ）というような情報である。
また、対象となる地域情報１３２は、例えば全世界（ＷｏｒｌｄＷｉｄｅ），アジア圏（Ａｓｉａ）あるいは日本（Ｊａｐａｎ）というような情報である。
さらに、格納文字グループ情報１３３は、例えば欧文基本文字セット（ｂａｓｉｃＬａｔｉｎ），欧文拡張文字セット（ｅｘｔｅｄｅｄＬａｔｉｎ）あるいは日本語（ＪＩＳ０２０８／１９９０）というような情報である。
【００２３】
生成部２００は、入力された文字情報に基づいて、記憶部１００に格納された書体情報１１０を読み出して、文字を生成して出力部３００に出力するものである。
尚、生成部２００は、文字生成装置自体の目的・使用用途に関して、所定の設定が行なわれ、その目的・使用用途情報２１０が記憶部１００に格納されるようになっている。
【００２４】
出力部３００は、例えば文字生成装置が印刷装置である場合には印刷装置本体（例えばプリンタエンジン）であり、文字生成装置が表示装置である場合には表示部であり、生成部２００から入力される文字に基づいて、印刷を行ない、又は表示を行なうようになっている。
【００２５】
書体管理部４００は、図３に示すように、記憶部１００に格納されているすべての書体情報１１０（例えば図３の場合、書体Ａ〜Ｚデータ）に関して、各書体情報１１０に含まれる目的・使用用途情報１３０を参照して、書体管理を行なうようになっている。
具体的には、書体管理部４００は、各書体情報１１０に含まれる目的・使用用途情報１３０を記憶部１００から読み出して、文字生成装置自体の目的・使用用途情報２１０と照合することにより、文字生成装置自体の目的・使用用途情報２１０に合致する書体情報１１０や、文字グループ情報単位あるいは文字単位で使用可能な書体（例えば図３の場合、書体Ｂの全文字セット，書体Ｄの基本文字セット，書体Ｘの全文字セットおよび書体Ｚの全文字セット）をリストアップして、使用可能書体リスト４１０を記憶部１００に登録する。
【００２６】
さらに、書体管理部４００は、必要に応じて、記憶部１００から、各書体情報１１０の目的・使用用途情報１３０および文字生成装置自体の目的・使用用途情報２１０を読み出して、適宜に変更又は追加を行なって、再び記憶部１００に格納することにより、これらの情報１３０および２１０を書き換えることが可能になっている。
【００２７】
次に、本実施形態の文字生成装置１０における書体管理処理作業の動作について、図４のフローチャートを参照して説明する。
図４において、まず書体管理部４００は、ステップＡ１にて、記憶部１００から書体情報１１０をロードし、続いてステップＡ２にて、ロードした各書体情報１１０に関して修正の必要があるか否かをチェックする。
そして、書き換え不可能なデバイスに書き込まれた書体情報１１０に関して、その後のニーズ変化等に伴って目的・使用用途情報が変化する等の事情によって上記修正の必要がある場合には、ステップＡ３にて書体情報１１０の変更，追加等の修正が行なわれる。
【００２８】
その後、あるいはステップＡ２にて上記修正の必要がない場合には直接に、ステップＡ４にて、書体管理部４００は、当該文字生成装置１０に属するすべての書体情報１１０を取得する。
次いで、書体管理部４００は、ステップＡ５にて、取得した全書体情報１１０から、当該文字生成装置１０の現在の目的・使用用途情報２１０にマッチする書体すなわち書体情報又は文字，文字グループ等をリストアップする。
【００２９】
続いて、書体管理部４００は、ステップＡ６にて、地域情報にマッチする書体をリストアップする。
最後に、書体管理部４００は、ステップＡ７にて、ステップＡ５およびＡ６でリストアップされた書体に対して、文字グループ情報から使用可能な文字グループを設定して、使用可能書体リスト４１０を作成し、ステップＡ８にて、使用可能書体リスト４１０を記憶部１００に登録する。
以上で、書体管理処理作業が完了する。
【００３０】
なお、このような書体管理処理作業は、文字生成装置１０の電源投入時だけでなく、任意のタイミングで適宜行なわれ得る。
【００３１】
次に、本発明の文字生成装置の具体的な第一の実施形態について図５を参照して説明する。
図５において、仕向け地の異なる三つの文字生成装置１０ａ，１０ｂ，１０ｃが示されている。
【００３２】
各文字生成装置１０ａ，１０ｂ，１０ｃは、それぞれ仕向け地が異なるが、同じ書体情報１１０が実装されている。
例えば書体情報１１０は、書体Ａ〜Ｇまでの書体データを有しており、各書体Ａ〜Ｇの目的・使用用途情報は、以下のように設定されている。
すなわち、書体Ａ〜書体Ｇの書体データは、その目的・使用用途情報１３０が、図５に示すように、使用用途として、必ず必要な基本書体（ＢａｓｉｃＦｏｎｔ），主にビジネス用途で使用される拡張書体（ＥｘｔｅｎｄｅｄＢｕｓｉｎｅｓｓ），ＤＴＰで使用される拡張書体（ＥｘｔｅｎｄｅｄＤＴＰ）の三種類、地域情報として、世界中どこでも使用するＷｏｒｌｄＷｉｄｅ，欧米諸国で使用するＵＳ，ＥＵ，日本で使用するＪａｐａｎの三種類、文字セットとして、欧文の基本セットであるＢａｓｉｃＬａｔｉｎ，拡張セットであるＥｘｔｅｎｄｅｄＬａｔｉｎ，ロシア語セットＣｙｒｉｌｌｉｃ，日本語基本セットＪＩＳ０２０８，１９９０，ユニコード準拠のセットＵｎｉ３．０の五種類から、適宜に設定されている。
【００３３】
これに対して、文字生成装置１０ａ，１０ｂ，１０ｃ自体も、それぞれ目的・使用用途情報２１０が設定されている。
例えば仕向け地として、ヨーロッパ向けあるいは日本向け等、文字生成装置自体の商品的位置付けとして、ハイエンドモデル，ローエンドモデル又はＤＴＰ向け，ビジネスグラフィック向け等、が設定されている。
【００３４】
このような構成の文字生成装置１０ａ，１０ｂ，１０ｃによれば、それぞれ以下のように書体管理処理が行なわれる。
まず文字生成装置１０ａが、ヨーロッパ向け，ハイエンドモデル，ＤＴＰ用途の目的・使用用途情報２１０を備えている場合、当該文字生成装置１０ａの書体管理部４００は、使用用途は拡張書体すべて、地域情報は全世界および欧米、そして文字グループ情報はすべての文字グループという基準で、個々の書体情報１１０を照合し、その結果は、図５に示すように、使用可能書体は書体Ａ〜Ｅ、文字セットは各書体について全文字セットとなる。
【００３５】
これに対して、文字生成装置１０ｂが、ヨーロッパ向け，ローエンドモデルビジネス用途の目的・使用用途情報２１０を備えている場合には、使用用途は基本書体，地域情報は全世界および欧米，文字グループ情報はＢａｓｉｃおよびＥｘｔｅｎｄｅｄＬａｔｉｎという基準により、これに合致した書体および文字グループのみ、すなわち図５に示すように、使用可能書体は、書体Ａ（Ｃｙｒｉｌｌｉｃを除く），書体Ｂ（Ｃｙｒｉｌｌｉｃを除く），書体Ｃ（全文字セット）となる。
【００３６】
また、文字生成装置１０ｃが、日本向け，ハイエンドモデル，ビジネス用途の目的・使用用途情報２１０を備えている場合には、使用用途は基本書体およびビジネス用途での拡張書体、地域情報は全世界および日本、文字セットはＢａｓｉｃ，ＥｘｔｅｎｄｅｄＬａｔｉｎおよびＪＩＳ０２０８，１９９０という基準により、使用可能書体は、書体Ａ（Ｃｙｒｉｌｌｉｃを除く），書体Ｂ（Ｃｙｒｉｌｌｉｃを除く），書体Ｃ（全文字セット）および書体Ｆ（全文字セット）となる。
【００３７】
このようにして、各仕向け地別に文字生成装置に実装する書体情報を変更することなく、同一の書体情報を実装することにより、文字生成装置自体の目的・使用用途情報２１０に基づいて、使用可能書体を適宜に選択することが可能になるので、書体情報を実装する部品を共通化することができ、文字生成装置のコストが削減され得ることになる。
【００３８】
［第二実施形態］
次に、本発明の文字生成装置の具体的な第二の実施形態について、同様に図５を参照して説明する。
この実施形態では、文字生成装置における目的・使用用途情報の設定を変更する場合について説明する。
【００３９】
すなわち、ユーザが例えばビジネス文書主体の使用用途である場合、例えば図５の文字生成装置１０ａにおいて、書体管理部４００により、文字生成装置１０ａ自体の目的・使用用途情報２１０をヨーロッパ向け，ハイエンドモデル，ビジネス用途に変更する。
【００４０】
これにより、使用可能書体は、書体Ａ（Ｃｙｒｉｌｌｉｃを除く），書体Ｂ（Ｃｙｒｉｌｌｉｃを除く），書体Ｃ（全文字セット）および書体Ｄ（全文字セット）となるので、文字生成装置１０ａの目的・使用用途情報２１０と合致しない書体Ｅそして書体Ａ，ＢのＣｙｒｉｌｌｉｃの文字セットを削減することが可能になる。
したがって、ユーザの使用用途に応じて文字生成装置で使用する書体が異なり、例えばグラフィックを主体とするユーザは使用する書体が限定され、あるいは例えば出版関係のユーザは多彩な書体を使用することになるが、ユーザ毎に文字生成装置１０ａの目的・使用用途情報２１０の変更により、使用可能書体を適宜に変更することによって、使用しない書体，文字セットを削減することにより、使用可能書体によりリソースに消費されるメモリ容量が低減され、ＣＰＵの処理負担が軽減されることになる。
【００４１】
この場合、使用可能な書体，文字セットを削減することによって、空いた記憶部１００の記憶容量そして処理能力を文字処理以外の処理に振り向けることが可能になる。
このようにして、ユーザ毎に目的・使用用途に応じた書体管理処理を行なうことによって、各ユーザに最適なトータルパフォーマンスに優れた文字生成装置を提供することができる。
【００４２】
このようにして、本実施形態の文字生成装置１０によれば、記憶部１００に格納されるフォントデザイン情報１２０から成る各書体情報１１０に対して、それぞれ目的・使用用途情報１３０を付加することによって、各書体情報１１０を目的・使用用途に応じて管理することができる。したがって、文字生成装置１０の目的・使用用途に合致した書体情報１１０のみを使用可能書体として選択することができるので、仕向け地毎に文字生成装置に実装する書体情報を管理する必要がなくなると共に、ユーザのニーズに合致した書体環境を容易に実現することができる。
【００４３】
上述した実施形態においては、書体情報１１０に付加する目的・使用用途情報１３０が、用途に関する情報１３１，対象となる地域情報１３２，格納文字グループ情報１３３から構成されているが、これに限らず、これらのうち少なくとも一つ、あるいはさらに追加の情報を備えるようにしてもよいことは明らかである。
さらに、上述した実施形態においては、例えばプリンタ等の印刷装置や表示装置としての文字生成装置１０が使用されているが、これに限らず、文字を生成して出力するものであれば、他の任意の種類の文字生成装置に本発明を適用し得ることは明らかである。
【００４４】
【発明の効果】
以上のように、本発明によれば、文字生成装置の記憶部に格納されている各書体情報が、フォントデザイン情報に加えて、目的・使用用途情報を含んでいるので、この目的・使用用途情報を記憶部から読み出して、これらの目的・使用用途情報に基づいて、当該書体情報に関して、どのような書体であるか、使用対象の仕向け地あるいは文字セットの種類等の目的・使用用途を把握することができる。
したがって、前もって複数種類の書体情報を文字生成装置に実装しておけば、各書体情報の目的・使用用途情報に基づいて、文字生成装置自体の目的・使用用途に合わせて、対応する書体情報を容易に選択することができる。
このようにして、本発明によれば、書体情報の目的，使用用途が分かるようにした文字生成装置を提供することができる。
【図面の簡単な説明】
【図１】本発明による文字生成装置の構成を示すブロック図である。
【図２】図１の文字生成装置で使用される書体情報の構成を示す概略図である。
【図３】図１の文字生成装置における書体管理部の動作を示す概略図である。
【図４】図１の文字生成装置における書体管理処理作業を示すフローチャートである。
【図５】図１の文字生成装置における具体的な実施形態を示す概略図である。
【符号の説明】
１０    文字生成装置
１００  記憶部
１１０  書体情報
１２０  フォントデザイン情報
１３０  目的・使用用途情報
１３１  用途に関する情報
１３２  対象となる地域情報
１３３  格納文字グループ情報
２００  生成部
２１０  目的・使用用途情報
３００  出力部
４００  書体管理部
４１０  使用可能書体リスト
【図１】
2004252280.tif 000003
【図２】
2004252280.tif 000004
【図３】
2004252280.tif 000005
【図４】
2004252280.tif 000006
【図５】
2004252280.tif 000007